(57)【要約】  薬剤を塗着する際に、各毛髪間の奥方まで薬剤を塗着できるとともに、染毛作業の工程や時間を短縮できる毛髪用ブラシを提供することを課題とする。また、毛髪の周囲に薬剤を均一に塗着することにより染毛効果の持続性を高めることができるとともに、使用される薬剤の量を大幅に削減できる毛髪用ブラシを提供することを課題としている。  ブラシ毛（２）と、このブラシ毛（２）を所定の配列で保持する保持部（３）とを備える毛髪用ブラシ（１）であって、上記ブラシ毛（２）は、先端（２２）の直径（Ｄ１）が０．０６ｍｍ以下であり、上記先端（２２）から５〜２０ｍｍの長さ（Ｌ）に設定されるとともに直径（Ｄ２）が０．１ｍｍ以下である毛先部（２３）を備えて構成される。
2015076379.tif 000002
【特許請求の範囲】
【請求項１】
ブラシ毛と、このブラシ毛を所定の配列で保持する保持部とを備える毛髪用ブラシであって、  上記ブラシ毛は、先端の直径が０．０３ｍｍ以下であり、上記先端から５〜２５ｍｍの長さに設定されるとともに直径が０．１ｍｍ以下である毛先部を備える、毛髪用ブラシ。
【請求項２】
上記ブラシ毛に沿うように設けられて、上記ブラシ毛に弾力付与機能及び／又は薬剤保持機能を有する補強構造を備える、請求項１に記載の毛髪用ブラシ。
【請求項３】
上記毛先部の一部又は全部が、上記先端から直径が次第に増加するテーパ状に形成されている、請求項１又は請求項２に記載の毛髪用ブラシ。
【請求項４】
上記補強構造は、薬剤を保持する隙間を構成するように形成されている、請求項２又は請求項３のいずれか１項に記載の毛髪用ブラシ。
【請求項５】
上記補強構造は、一端部が上記保持部に保持されるとともに、上記毛先部の一部又は全部を突出させるようにして保持するシート状部材を備えて構成されている、請求項２から請求項４のいずれか１項に記載の毛髪用ブラシ。
【請求項６】
上記シート状部材は、上記保持部に保持された上記ブラシ毛の集合体を挟むように配置されている、請求項５に記載の毛髪用ブラシ。
【請求項７】
上記シート状部材は、所定本数のブラシ毛の集合体を囲むように設けられている、請求項５又は請求項６に記載の毛髪用ブラシ。
【請求項８】
上記補強構造は、複数のブラシ毛の基端部を一体的に接合することにより構成されている、請求項１から請求項３に記載の毛髪用ブラシ。
【請求項９】
上記補強構造は、上記保持部の保持面に所定の配列で設けられるとともに、上記ブラシ毛より大きな直径を備える補強用ブラシ毛又は櫛歯を備えて構成される、請求項１から請求項４のいずれか１項に記載の毛髪用ブラシ。
【請求項１０】
上記補強用ブラシ毛又は上記櫛歯は上記ブラシ毛より短く形成されており、上記毛先部の一部又は全部が、補強用ブラシ毛の先端部から突出するように設けられている、請求項９に記載の毛髪用ブラシ。
【請求項１１】
上記補強用ブラシ毛又は上記櫛歯が、上記ブラシ毛を設けた領域を挟むように設けられている、請求項９又は請求項１０のいずれか１項に記載の毛髪用ブラシ。
【請求項１２】
上記補強用ブラシ毛又は上記櫛歯を設けた領域と、上記補強用ブラシ毛を設けた領域とが、上記保持部の保持面の長手方向に交互に配置されている、請求項９から請求項１１のいずれか１項に記載の毛髪用ブラシ。
【請求項１３】
上記補強用ブラシ毛又は上記櫛歯を設けた領域と、上記ブラシ毛を設けた領域とが上記保持部の保持面に千鳥状に交互に配置されている、請求項９又は請求項１０に記載の毛髪用ブラシ。
【請求項１４】
上記補強用ブラシ毛又は上記櫛歯の周囲を取り囲むように、複数のブラシ毛の基端部が、接着又は溶着によって一体的に接合されている、請求項９又は請求項１０に記載の毛髪用ブラシ。
【請求項１５】
上記補強用ブラシ毛又は上記櫛歯が縮れ加工されている、請求項９から請求項１４のいずれか１項に記載の毛髪用ブラシ。
【請求項１６】
上記補強用ブラシ毛又は上記櫛歯の表面に凹部が設けられている、請求項８から請求項１５のいずれか１項に記載の毛髪用ブラシ。
【請求項１７】
少なくとも先端が毛髪の直径の２分の１以下の直径を有する毛先部を備えるブラシ毛を用いた毛髪処理方法であって、  薬剤を保持させた上記ブラシ毛の上記毛先部を各毛髪の間に割り込ませることにより、薬剤を各毛髪間に塗着して染毛を行う毛髪処理方法。
【請求項１８】
上記毛先部の一部又は全部を、上記先端から直径が次第に増加するテーパ状に形成することにより、隣接する上記毛先部間に形成される隙間を形成するとともに、この隙間に薬剤を保持して染毛を行う、請求項１７に記載の毛髪処理方法。
【請求項１９】
上記ブラシ毛に、上記毛先部に各毛髪の隙間に割り込ませる弾力を付与して染毛を行う、請求項１７又は請求項１８に記載の毛髪処理方法。
【発明の詳細な説明】
【技術分野】
【０００１】  本願発明は、毛髪用ブラシ及び毛髪処理方法に関する。詳しくは、少ない薬剤で毛髪を効率よく薬剤処理できる毛髪用ブラシ及び毛髪処理方法に関する。
【背景技術】
【０００２】  美容室等において染毛等を行う場合、専用のブラシが用いられることが多い。たとえば、染毛用ブラシは、染毛剤を毛髪に塗布するものであり、ブラシ毛間に染毛剤を保持するとともに毛髪に塗布できるように構成されている。
【先行技術文献】
【特許文献】
【０００３】
【特許文献１】特開２００８−１７８７１６号公報
【０００４】  上記特許文献１に記載されているような従来の染毛用ブラシは、把持部と、上記把持部に一体成形された櫛部と、ブラシ毛が植毛されたブラシ部とを備えて構成されることが多い。上記ブラシ部は、毛先に染毛剤を付着させて毛髪に塗着するように構成されている。上記櫛部は、上記ブラシ部によって毛髪に塗着された染毛剤を毛髪に行き渡らせるために使用される。【０００５】  通常、染毛を行う場合、適量の毛髪を手指でピックアップして塗着面を形成するように整列させ、上記染毛用ブラシを毛髪に沿って動かしながら染毛剤を塗着する。【０００６】  毛髪の直径は、細い毛髪で０．０５〜０．０７ｍｍ、普通の毛髪で０．０８〜０．０９ｍｍ、太い毛髪では０．０８〜０．０９ｍｍである。特に、女性の毛髪は細いものが多く平均的な直径が０．０７〜０．０８ｍｍであることが多い。【０００７】  一方、上記毛髪を染毛するための従来のブラシ毛の直径は、０．２ｍｍ程度あり、平均的な毛髪の直径の数倍の直径を備える。このため、上記ブラシ毛を、各毛髪間に梳き入れて染毛剤を塗着するのは困難であり、複数本の毛髪からなる集合体の表面の一部に積層するように染毛剤が塗着されることになる。その後、上記櫛部によって毛髪を梳くことにより、塗着された染毛剤を毛髪の全体に行き渡らせるという作業が行われる。
【発明の開示】
【発明が解決しようとする課題】
【０００８】  染毛剤は、１本１本の毛髪の全周に均一に塗着されるのが好ましい。ところが、上述したように、ブラシ毛の毛先を各毛髪間に梳き入れて染毛剤を塗着することは困難であり、整列させられた毛髪集合体の表面、あるいはその一部にしか染毛剤を塗着することができない。すなわち、図２１に示すように、従来の染毛ブラシ毛３０の先端直径Ｄ１が毛髪４の直径ｄ１の数倍であるため、各毛髪４の間に染毛ブラシ毛３０を梳き入れることはできない。このため、染毛剤４０が、整列させられた毛髪集合体の表面にしか塗着されない場合が多い。したがって、多量の染毛剤を、整列された毛髪４の集合体の片側表面に塗着した後、上記櫛部を用いて毛髪を複数回梳くことにより、染毛剤４０を毛髪間に行き渡らせていた。【０００９】  ところが、上記櫛部を構成する各櫛歯の直径も、毛髪の直径の数倍〜数十倍であり、各櫛歯間の隙間も毛髪の数倍〜数十倍となる。このため、上記櫛歯で梳いても染毛剤を各毛髪４の間に行き渡らせるのは困難である。この結果、毛髪の周囲に染毛剤を行き渡らせるには、櫛部で梳く回数を多くしたり、複数回染毛剤を塗着して上記作業を行う必要がある。しかしながら、上記の作業を行っても、染毛剤を毛髪の周囲に均一に塗着することはできず、毛髪の周囲をむらなく染毛するのは困難であった。このため、染毛むらが生じやすく染毛効果の持続性も低下するといった問題もあった。【００１０】  また、染毛用ブラシの各染毛ブラシ毛間の隙間に保持される染毛剤が毛髪４に塗着されるのであるが、染毛ブラシ毛３０の直径が毛髪４の直径の数倍あるため、ブラシ毛間の隙間Ｄ３も毛髪の直径ｄ１に比べて数倍の大きさとなる。このため、毛髪集合体の表面の一部に多量の染毛剤が塗着されることが多い。一方、染毛は、染毛剤が毛髪表面との酸化重合反応によって行われるため、染毛に係わる染毛剤は非常に少量であり、塗着された染毛剤の大部分は染毛に関与しない。また、パーマ用の薬剤も同様である。【００１１】  この結果、染毛作業に時間や手間がかかるばかりでなく、染毛に関与しない大量の染毛剤が用いられることになる。しかも、上記染毛剤には、毒性の高い成分が含まれるものもあり、皮膚に付着すると健康を害する恐れもある。さらに、大部分の染毛剤は染毛作業が終了した後に洗い流されるため、大量の染毛剤が無駄になるのみならず、洗い流された染毛剤の上記毒性により環境問題を引き起こすことも考えられる。【００１２】  本願発明は、上記問題を解決するために案出されたものであり、染毛剤等の薬剤を塗着する際に各毛髪間の奥方まで薬剤を塗着できるとともに、染毛作業の工程や時間を短縮できる毛髪用ブラシを提供することを課題とする。また、毛髪の周囲に薬剤を均一に塗着することにより発色効果等の染毛効果及びその持続性を高めることができるとともに、使用される薬剤の量を大幅に削減できる毛髪用ブラシを提供することを課題としている。
【課題を解決するための手段】
【００１３】  本願発明は、ブラシ毛と、このブラシ毛を所定の配列で保持する保持部とを備える毛髪用ブラシであって、上記ブラシ毛は、先端の直径が０．０３ｍｍ以下であり上記先端から５〜２５ｍｍの長さに設定されるとともに直径が０．１ｍｍ以下である毛先部を備えて構成される。【００１４】  上記毛先部先端の直径は、少なくとも毛髪の直径の２分の１以下に設定するのが好ましい。本願発明では、毛髪用ブラシの先端の直径を０．０３ｍｍ以下に設定している。上記先端の直径は、女性の毛髪の平均的な直径の２分の１より小さく、ブラシ毛の先端を各毛髪間に容易に梳き入れることができる。また、各ブラシ毛の間隔が毛髪の配列間隔の２分の１以下になるため、ブラシ毛の先端部を、整列させられた多数の毛髪間に同時に梳き入れることが可能となる。さらに、毛髪用ブラシの先端の直径を０．０３ｍｍ以下に設定することにより、上記各ブラシ毛間に薬剤を保持させた場合でも、ブラシ毛先端の間隔がブラシ毛の間隔以下になる。このため、上記ブラシ毛の先端を配列された毛髪間に梳き入れて、上記薬剤を各毛髪の周囲に均一に塗着することが可能となる。【００１５】  毛先部の先端の直径が０．０３ｍｍを越える場合、薬剤を保持させたブラシ毛を、隙間なく配列された各毛髪間に梳き入れることが困難になる。また、梳き入れるための抵抗力も大きくなるため、ブラシ毛の曲がりも大きくなり、耐久性も低下する。ブラシ毛の先端を各毛髪の間に梳き入れるには、毛先部の直径を０．０２ｍｍ以下に設定するのがより好ましい。また、配列された毛髪に薬剤を効率よく塗着するには、毛先位置を直線に沿って揃えるのが好ましい。毛先部の先端の直径が小さい場合、毛先位置を精度高く揃えるのは困難な場合が多いが、上記効果を充分に発揮させるには、毛先位置を０．５ｍｍの長さ範囲内に揃えるのが好ましい。さらに、０．３ｍｍの長さ範囲内に揃えるのがより好ましい。毛先部の位置を上記の範囲内に揃えることにより、染毛効率等をより高めることができる。なお、本願発明は、毛髪に塗布される種々の薬剤を塗布する毛髪用ブラシに適用される。たとえば、脱色剤や着色剤を含む染毛に係る種々の薬剤、パーマ用の種々の薬剤を塗布する毛髪用ブラシに適用できる。【００１６】  本願発明に係るブラシ毛は、従来のブラシ毛に比べて先端部の直径が小さい。このため、上記先端の直径で、ブラシ毛の全体を形成すると、弾力（変形抵抗）が小さくなり、毛髪間に梳き入れる際の強度を確保することができない。一方、毛髪に作用する毛先部の直径が大きいと、毛髪に梳き入れる際の抵抗が大きくなり、曲がり等の原因となる。このため、上記先端から５〜２５ｍｍの長さに設定されるとともに直径が０．１ｍｍ以下である毛先部を設けるのが好ましい。上記の長さ範囲での寸法変化の態様は特に限定されることはないが、たとえば、毛先部先端から直径がテーパ状に変化するように構成できる。上記直径の毛先部の長さを５ｍｍ以下に設定すると、毛髪に梳き入れることができる深さが小さくなり、効率よく染毛作業を行うことができない。一方、上記直径を有する毛先部が２５ｍｍを越えると、毛先部の曲がりが大きくなり、耐久性も低下する。上記構成のブラシ毛は、種々の材料から種���の手法を用いて形成することができる。所要の耐久性及び弾性を得るため、ナイロン等の樹脂材料から形成するのが望ましい。また、上記毛先部を設ける手法も特に限定されることはなく繊維段階で毛先部を形成することもできるし、所定の直径をブラシ毛に植毛する長さに折断した後に形成することもできる。また、ブラシ毛の一部又は全部をブラシの保持部に保持してから、上記毛先部を加工して所要の直径とすることもできる。【００１７】  上記構成を採用することにより、整列された毛髪集合体の奥方まで毛先部を進入させることができる。このため、一度の塗着操作で、整列させられた上記毛髪の前面、及び上記毛先部が梳き入れられる側部を含む各毛髪の断面周囲のほぼ３分の２以上の領域に薬剤を塗着することが可能となる。この結果、染毛作業の工程及び時間を大幅に節減することができる。また、一度の塗着操作によって、毛髪の断面周囲の広い範囲に薬剤を塗着することができるため、毛髪に必要以上の薬剤を塗着する必要がなくなり、薬剤の使用量を大幅に削減できる。しかも、大量の薬剤が毛髪の一部表面に塗着されることもなくなり、各毛髪表面に均一に薬剤を塗着することができる。このため、染毛剤の場合、染毛むらが生じることも少なくなり、毛髪を均一に染毛して美しい仕上がりを得ることも可能となる。さらに、毛髪の周囲にむらなく染毛剤を塗着することができるため、染毛効果の持続性も高まる。【００１８】  上記毛先部の一部又は全部を、上記先端から直径が次第に増加するテーパ状に形成するのが好ましい。特に、各毛先部の間隔を毛髪の整列間隔以下に設定できるとともに、各毛先部間に所定の隙間を確保できるテーパ状に形成するのが好ましい。これにより、毛髪間に効率よくブラシ毛を梳き入れることができるとともに、毛先部の強度を確保できる。また、上記構成を採用すると、隣接する上記毛先部間に隙間が形成されるため、この隙間に薬剤を保持させることができる。これにより、毛髪間に効率よくブラシ毛を梳き入れ、薬剤を効率よく毛髪に塗着することができる。たとえば、先端直径を０．０１〜０．０２ｍｍに形成するとともに、上記先端から１０ｍｍの距離で毛先部の直径を次第に増加させて、毛先部の基端側直径が０．１ｍｍとなるテーパ状の毛先部を設けることができる。【００１９】  上記直径の毛先部は、直径が小さいため非常に柔らかく弾力が小さい。また、上記直径の毛先部を形成するためには、毛先部以外の直径も従来のブラシ毛の直径に比べてかなり小さくなる。このため、上記ブラシ毛は、従来のブラシ毛に比べて弾力や強度が小さく、曲がり等の変形も生じやすい。また、毛髪に梳き入れる際の力を作用させにくくなったり、耐久性が低くなる恐れもある。さらに、ブラシ毛の直径が小さくなるほどブラシ毛間の隙間も小さくなるため、従来のブラシ毛にくらべてブラシ毛間に保持される薬剤の量も少なくなる。【００２０】  上記不都合を回避するため、上記ブラシ毛に沿うように設けられて、弾力付与機能及び／又は薬剤保持機能を有する補強構造を設けることができる。上記補強構造を設けることにより、上記ブラシ毛の毛先部を自立させるとともに、ブラシ毛の先端を毛髪間に梳き入れることができる弾力を確保することができ��。また、曲がりを抑制できるため、耐久性も向上する。さらに、上記補強構造に、薬剤保持機能を付与することにより、染毛作業をより効率よく行うこともできる。【００２１】  ブラシ毛の集合体の全体に対する補強構造を設けることもできるし、各ブラシ毛に対する補強構造を設けることもできる。また、複数本のブラシ毛、あるいは所定の植毛領域に植毛されたブラシ毛に対する補強構造を設けることもできる。さらに、上記補強構造を、ブラシ毛と一体的に設け、各ブラシ毛自体の弾力を高めることもできる。また、補強構造をブラシ毛から独立して設け、ブラシ毛が所定以上に曲折しようとする場合に弾性抵抗力を付加するように構成することもできる。【００２２】  上記補強構造に、薬剤を保持する機能を持たせるのが好ましい。たとえば、補強構造を、ブラシ毛の集合体間に隙間が形成されるように構成することができる。また、補強構造自体に薬剤を保持する機能を付加することもできる。たとえば、弾性を付加する部材に凹部を設けて薬剤を保持させたり、上記補強構造とブラシ毛間に、薬剤を保持する所定の隙間が確保されるように構成することもできる。【００２３】  上記補強構造は、上記ブラシ毛に沿うように設けられる。すなわち、少なくともブラシ毛の長手方向に沿うように設けられ、ブラシ毛の横方向への変形に対する弾性抵抗を増加させるように構成するのが好ましい。【００２４】  上記補強構造として、一端部が上記保持部に保持されるとともに、上記毛先部の一部又は全部を突出させるようにして保持するシート状部材を備えて構成することができる。たとえば、保持部に植毛されたブラシ毛の集合体の塗着操作方向の側面に、弾性を有するゴムあるいはプラスチックのシートを設け、毛髪に梳き入れる際に曲がろうとするブラシ毛の集合体に弾性抵抗力が生じるように構成できる。上記シート状部材は、薬剤を塗布する毛先部の一部又は全部が、上記シート状部材の上縁部から突出するように構成するのが好ましい。上記突出長さは突出部分が自立できる長さであって、染毛作業に必要な長さであればよい。少なくとも、５ｍｍ以上突出させるのが好ましい。【００２５】  上記シート状部材を設けることによりブラシ毛の集合体の弾力を増加させることができる。また、上記シート状部材とブラシ毛との間に、薬剤を保持することもできる。上記シート状部材を設ける位置や数も特に限定されることはなく、少なくとも染毛作業を行う際にブラシ毛に弾性力を付加できる位置に配置すればよい。たとえば、植毛面に植毛された上記ブラシ毛の集合体を挟むように配置することができる。【００２６】  また、上記シート状部材を、複数本のブラシ毛を囲むように設けることもできる。本願発明に係るブラシ毛は直径が非常に小さいため、植毛手法によっては、長さを揃えて植毛するのが困難な場合がある。複数本のブラシ毛を囲んでまとめるように上記シート状部材を設け、複数本のブラシ毛を、従来のブラシ毛と同様に取り扱えるように構成することにより、製造工程を容易に行うことも可能となる。たとえば、従来のブラシ毛と同等の直径となるように複数本のブラシ毛をシート状部材で囲んで一体化し、これを、従来のブラシ毛と同様の手法で保持部に植毛して保持させることが��きる。【００２７】  上記補強構造を、複数のブラシ毛の基端部を一体的に接合することにより構成することもできる。たとえば、複数のブラシ毛の基端部の所定長さ部分を、接着剤あるいは溶着によって一体化することができる。これにより、ブラシ毛の基端部の強度や弾力が向上する。【００２８】  また、上記補強構造として、上記保持部の保持面に所定の配列で設けられるとともに、上記ブラシ毛より大きな直径を備える補強用ブラシ毛又は櫛歯を備えて構成することができる。【００２９】  上記補強用ブラシ毛又は櫛歯は、上記ブラシ毛より大きな直径で形成されているため、ブラシ毛より強度及び弾力が大きい。このため、上記ブラシ毛と組み合わせることにより、ブラシ毛全体の強度及び弾性を高めることができる。櫛歯を設ける場合、補強用ブラシ毛と同様に、所定の弾性変形能を有するものを採用するのが好ましい。  【００３０】  上記補強用ブラシ毛又は上記櫛歯の直径は特に限定されることはないが、上記ブラシ毛の数倍〜数十倍の直径のものを採用できる。上記補強用ブラシ毛又は上記櫛歯は、毛髪を梳く目的で設けられるものでないため、従来のブラシ毛や櫛歯の形態に限定されることはない。たとえば、断面扇形状に形成し、複数本のブラシ毛集合体に対して、毛髪を梳く方向と反対側からバックアップして弾性力をブラシ毛に付加できる形態の補強用ブラシ毛又は櫛歯を採用することができる。【００３１】  上記補強用ブラシ毛又は上記櫛歯を上記ブラシ毛より短く形成し、染色ブラシ毛の上記毛先部の一部又は全部が、補強用ブラシ毛の先端部から突出するように設けるのが好ましい。これにより、ブラシ毛の基端部が補強されて強度及び弾力が向上し、ブラシ毛の変形が緩和される。一方、毛先部の一部又は全部を、補強用ブラシ毛の先端部から突出するように構成することにより、毛先部を毛髪集合体の奥方に梳き入れることができ、染毛作業等に影響が出る恐れもない。【００３２】  上記補強用ブラシ毛又は上記櫛歯の配列形態は特に限定されることはない。上記補強用ブラシ毛又は上記櫛歯を設けた領域と、上記ブラシ毛を設けた領域とを区分して設けることもできるし、ブラシ毛を設けた領域内に、所定間隔で上記補強用ブラシ毛又は上記櫛歯を配置することもできる。また、ブラシ毛の集合体の全体を挟むように構成することもできるし、ブラシ毛集合体の一部を挟むように構成することもできる。【００３３】  また、上記ブラシ毛又は上記櫛歯を設けた領域と上記補強用ブラシ毛を設けた領域とを、上記保持部の保持面の長手方向に交互に配置することができる。この構成によって上記ブラシ毛を設けた領域の強度及び弾性を高めることができるばかりでなく、上記補強用ブラシ毛又は上記櫛歯を設けた領域に薬剤を多量に保持させることが可能となる。上記各領域の配置間隔は特に限定されることはないが、少なくとも、薬剤が塗布される幅方向寸法を確保できるように構成するのが好ましい。【００３４】  また、上記補強用ブラシ毛又は上記櫛歯を設けた領域と、上記ブラシ毛を設けた領域とを、上記保持部の保持面に千鳥状に交互に配置することができる。この構成を採用すると、毛髪用ブラシの長手方向に途切れることなくブラシ毛を配列することができるため、一��の塗着操作によって広い範囲の毛髪に薬剤を塗着することができる。しかも各補強用ブラシ毛を設けた領域に薬剤を保持させることが可能となり、所要の薬剤を保持させて染毛作業を効率よく行うことが可能となる。【００３５】  上記補強用ブラシ毛又は上記櫛歯の周囲を取り囲むように、複数のブラシ毛の基端部を、接着又は溶着によって一体的に接合した構成を採用することができる。【００３６】  たとえば、１本の補強用ブラシ毛又は櫛歯の周囲を取り囲むように、複数のブラシ毛の基端部を接着又は溶着によって接合して一体化した形態を採用することもできる。この構成によって、ブラシ毛の強度及び弾力を高めることができる。また、ブラシ毛を上記補強用ブラシ毛又は櫛歯より長く設定すると、ブラシ毛の毛先部の内側に上記補強用ブラシ毛又は櫛歯の直径に対応した空間を形成することができる。この空間には薬剤を多量に保持することが可能となり、染毛作業を効率よく行うことも可能となる。  【００３７】  また、所要量の薬剤を保持するため、上記補強用ブラシ毛又は上記櫛歯に縮れ加工を施すことができる。また、上記補強用ブラシ毛又は上記櫛歯を採用する場合、これらの表面に、薬剤を保持できる凹部を設けることもできる。【００３８】  本願発明に係る毛髪処理方法においては、少なくとも先端が毛髪の直径の２分の１以下の直径を有する毛先部を備えるブラシ毛が用いられる。これにより、各ブラシ毛間に薬剤を保持させた上記ブラシ毛の毛先部を各毛髪の間に割り込ませて、薬剤を各毛髪間に塗着することができる。このため、染毛作業を効率よく行うことができるとともに、薬剤の使用量を低減させることができる。【００３９】  また、上記毛先部の一部又は全部を、上記先端から直径が次第に増加するテーパ状に形成することにより、毛先部先端を整列させられた毛髪集合体の奥方まで梳き入れることができる。また、隣接する上記毛先部間に形成される隙間を形成するとともに、この隙間に薬剤を保持して染毛を行うことができる。【００４０】  さらに、上記ブラシ毛に、上記毛先部に各毛髪の隙間に割り込ませる弾力を付与して染毛を行うことにより、染毛作業を効率よく行うことができる。
【発明の効果】
【００４１】  薬剤を塗着する際に、各毛髪間の奥方まで薬剤を塗着できるとともに、染毛作業の工程や時間を短縮できる。また、毛髪の周囲に薬剤を均一に塗着して処理効果を高めることができるとともに、使用される薬剤の量を大幅に削減できる。
【図面の簡単な説明】
【００４２】
【図１】本願発明に係る毛髪用ブラシの要部の正面図である。
【図２】本願発明に係る毛髪用ブラシのブラシ毛の機能を説明する概略図である。
【図３】ブラシ毛を毛髪の集合体に梳き入れて薬剤が毛髪に塗着される状態を    模式的に示す図である。
【図４】本願発明の第１の実施形態に係る毛髪用ブラシの一部断面を示す斜視図である。
【図５】本願発明の第２の実施形態に係る毛髪用ブラシの要部斜視図である。
【図６】図５におけるＶＩ−ＶＩ線に沿う断面図である。
【図７】本願発明の第３の実施形態に係る毛髪用ブラシの要部を示す断面図である。
【図８】本願発明の第４の実施形態に係る毛髪用ブラシの要部を示す平面図である。
【図９】本願発明の第５の実施形態に係る毛髪用ブラシの要部を示す平面図である。
【図１０】本願発明の第６の実施形態に係る毛髪用ブラシのブラシ毛の断面図である
【図１１】図１０におけるＸＩ−ＸＩ線に沿う断面図である。
【図１２】本願発明の第７の実施形態に係る毛髪用ブラシのブラシ毛の平面図である
【図１３】図１２に示すブラシ毛の一部断面を示す斜視図である。
【図１４】本願発明に係るブラシ毛の植毛手法の一例を示す斜視図である。
【図１５】図１４にけるＸＶ−ＸＶ線に沿う断面図である。
【図１６】本願発明に係るブラシ毛の植毛手法の一例を示す側面図である。
【図１７】図１６に示す実施形態のブラシ毛の植毛状態を示す拡大図である。
【図１８】図１６に示す実施形態のブラシ毛の植毛状態を示す一例の拡大図である。
【図１９】実施例に係る染毛効果を示す表である。
【図２０】実施例に係る染毛効果を示す表である。
【図２１】従来の毛髪用ブラシの作用を説明する概略図である。
【発明を実施するための形態】
【００４３】  以下、本願発明の実施形態を図に基づいて具体的に説明する。
【００４４】  図１に、毛髪用ブラシの代表的なものとして、染毛用ブラシ１の外観を示す。染毛用ブラシ１は、染毛剤を保持するとともに、毛髪に塗着するブラシ毛２と、この染毛ブラシ毛２を所定の配列で保持する保持部３と、把持部２１とを備えて構成される。なお、染毛用ブラシの構成は、図１に示すものに限定されることはなく、種々の形態で染毛ブラシ毛を設けた染毛用ブラシや、櫛部等の染毛ブラシ毛以外の構成を備える染毛用ブラシにも本願発明を適用できる。また、脱色剤を塗布するブラシや、パーマ液等を塗布するブラシの種々の毛髪用ブラシに本願発明を適用できる。
【００４５】  図２に示すように、本実施形態に係る染毛ブラシ毛２の毛先部２３は、先端２２が毛髪４の直径ｄ１より小さい直径Ｄ１に形成されているとともに、上記先端２２から直径が次第に増加するテーパ状に形成されている。図２では、毛髪４の直径を、女性の平均的な毛髪の直径であるｄ１＝０．０７５ｍｍに設定するとともに、染毛ブラシ毛２の上記毛先部２３の先端２２の直径をＤ１＝０．０２ｍｍに設定している。また、上記基端部５の直径をＤ２＝０．１ｍｍに設定するとともに、上記テーパ状の毛先部２３の長さをＬ＝１０ｍｍに設定している。なお、図２においては、理解を容易にするため、テーパ状の毛先部２３の長さをＤ１及びＤ２の寸法より短縮して描いてある。上記染毛ブラシ毛２は、種々の材料から形成することができる。耐久性や弾性を確保するため、ナイロン樹脂を用いて形成されたものを採用するのが好ましい。また、上記毛先部２３を形成する手法も特に限定されることはない。樹脂繊維の製造段階で形成することもできるし、所定太さの樹脂繊維を形成した後、先端部を加工することによって形成することもできる。
【００４６】  図２及び図３に示すように、上記構成の染毛ブラシ毛２の先端２２は、毛髪４の直径の２分の１以下の直径で形成されているため、これを毛髪４の集合体に突入させると、各染毛ブラシ毛２の先端２２を、各毛髪４間に容易に梳き入れることができる。また、上記各染毛ブラシ毛２の間に染毛剤４０を保持させた場合にも、各染毛ブラシ毛２の先端２２の間隔は、毛髪４の配列間隔以下となる。このため、上記先端２２を各毛髪４間に梳き入れて、上記染毛剤４０を各毛髪４に塗着することができるこれにより、図３に示すように、染毛剤４０を整列された毛髪４の背面側まで到達させることが可能となり、一度の塗着操作によって、平均的に各毛髪４の断面周囲の３分の２以上の範囲まで、上記染毛剤４０を塗着することが可能となる。
【００４７】  上記毛先部２３の先端２２の直径寸法は、毛髪の直径ｄ１の２分の１以下の寸法に設定するのが好ましく、女性の平均的な毛髪の太さが０．０７ｍｍ程度であることからＤ１を０．０３ｍｍ以下に設定するのが好ましい。さらに、梳き入れる際の抵抗を低減させるため、先端部の直径Ｄ１を０．０２ｍｍ以下に設定するのがより好ましい。
【００４８】  さらに、毛先部２３をテーパ状に形成することにより、先端２２及びこれに続く毛先部２３を、毛髪４の集合体の奥方まで容易に梳き入れることが可能になる。しかも、図２に示すように、隣接する毛先部間に、上記テーパ形状による隙間が形成されるため、染毛剤４０を保持することが可能になる。また、毛先部２３を毛髪４の集合体の奥方まで梳き入れながら塗着作業を行うことができるため、毛髪４の断面周囲のほぼ３分の２以上の範囲に染毛剤４０を塗着することができる。これにより、各毛髪４の表面に、必要量の染毛剤を従来に比べて均一に塗着することが可能となり、染毛剤４０の使用量を従来の半分程度まで低減させることが可能となる。
【００４９】  図４に補強構造９を設けた第１の実施形態を示す。本実施形態に係る補強構造９は、上記毛先部２３の一部又は全部を突出させるようにして保持するシート状部材１０，１０を備えて構成されている。本実施形態では、染毛ブラシ毛２を保持部３に矩形状に配列するとともに、上記染毛ブラシ毛２の集合体を長手方向の側面から上記集合体の基端部を挟むように、一対のシート状部材１０，１０を設けている。
【００５０】  上記シート状部材１０，１０は、塗着操作方向に設けられているため、毛髪４を梳く際に生じる抵抗力によって曲折しようとする上記染毛ブラシ毛２の弾力を補い、曲折抵抗を発生させる。このため、染毛ブラシ毛２が大きく曲折されることを防止して、毛先部２３を、毛髪４の集合体に容易に梳き入れることができる。
【００５１】  また、染毛ブラシ毛２が大きく曲折されることがなくなるため、ブラシ毛の耐久性も高まる。
【００５２】  図５及び図６に本願発明の第２の実施形態を示す。第２の実施形態は、補強構造９として、上記保持部３の保持面に所定の配列で設けられるとともに、上記染毛ブラシ毛２より大きな直径を備える補強用ブラシ毛１１を備えて構成される。
【００５３】  図６に示すように、本実施形態では、上記補強用ブラシ毛１１は、上記染毛ブラシ毛２を設けた領域を両側から挟むように配列されている。上記補強用ブラシ毛１１は、染毛ブラシ毛２の基端部の太さの数倍の直径のものが採用されており、上記染毛ブラシ毛２より弾力が大きく、また強度も高い。また、上記補強用ブラシ毛１１は、上記染毛ブラシ毛２より短く形成されており、上記毛先部２３の一部又は全部が、補強用ブラシ毛１１を設けた領域の先端部から突出するように設けられている。
【００５４】  上記染毛ブラシ毛２が曲折しようとする場合、上記補強用ブラシ毛１１がバックアップして弾性力を作用させるため、上記染毛ブラシ毛２と補強用ブラシ毛１１とを組み合わせることにより、ブラシ毛全体の強度及び弾性を高めることができる。また、染毛ブラシ毛２の上記毛先部２３の一部又は全部を、補強用ブラシ毛１１の先端部から突出するように設けることにより、上記補強用ブラシ毛１１が上記染毛ブラシ毛２による染毛作業に悪影響を与える恐れもない。
【００５５】  上記補強用ブラシ毛１１の直径は特に限定されることはないが、所要の弾性を得ることができるように、上記染毛ブラシ毛２の数倍〜数十倍の直径のものを採用できる。上記補強用ブラシ毛１１は、毛髪４を梳く目的で設けられるものでないため、従来のブラシ毛や櫛歯の形態に限定されることはなく、矩形断面状や扇形断面状に形成し、複数本の染毛ブラシ毛集合体に対して、毛髪を梳く方向と反対側からバックアップできる形態の補強用ブラシ毛を採用することができる。また、上記補強用ブラシ毛１１に代えて同様の作用のある櫛歯を設けることもできる。
【００５６】  また、上記補強用ブラシ毛１１の間には、大きな隙間が形成されるため、染毛剤をこの隙間に保持させることができる。これにより、一度の塗着作業による染毛剤の塗着面積を大きくすることが可能となり、作業効率を高めることができる。さらに、図７に示す第３の実施形態のように、補強用ブラシ毛１１ａとして縮れ加工されたブラシ毛１１ａを採用することにより、より多くの染毛剤を保持させることも可能となる。また、図７に示すように、補強用ブラシ毛を設けた領域をテーパ状に形成して、染毛ブラシ毛２に作用する弾力を調整することもできる。
【００５７】  上記染毛ブラシ毛と上記補強用ブラシ毛の配列形態は特に限定されることはない。図８に示す第４の実施形態のように、上記染毛ブラシ毛２を設けた領域と上記補強用ブラシ毛１２を設けた領域とが、上記保持部の保持面の長手方向に交互に配置された形態を採用できる。上記構成を採用することにより、染毛ブラシ毛全体としての弾力を高めることができるとともに、上記補強用ブラシ毛を設けた領域に染毛剤を保持させることが可能になる。上記配列形態においては、染毛作業の作業効率を高めるため、上記染毛ブラシ毛２を設けた領域の長手方向寸法を、補強用ブラシ毛１２を設けた領域の長手方向寸法より大きく設定するのが好ましい。
【００５８】  また、図９に示す第５の実施形態のように、上記染毛ブラシ毛２を設けた領域と上記補強用ブラシ毛１３を設けた領域とが、上記保持部３の保持面に千鳥状に交互に配置された構成を採用することができる。
【００５９】  この構成を採用すると、染毛用ブラシの長手方向に途切れることなく染毛ブラシ毛２を配列することができる。また、各補強用ブラシ毛１３を設けた領域に染毛剤を保持させることが可能となり、所要の染毛剤を保持させて染毛作業を効率よく行うことが可能となる 
【００６０】  図１０及び図１１に、本願発明の第６の実施形態を示す。第６の実施形態では、上記補強構造として、シート状部材１４を採用している。上記シート状部材１４は、所定本数のブラシ毛２の集合体を囲むように設けられている。また、図１１に示すように、上記シート状部材１４は、上記毛先部２３の一部又は全部を突出させるように構成されている。
【００６１】  本願発明に係る染毛ブラシ毛は直径が非常に小さいため、長さを揃えて植毛するのが困難な場合がある。このため、複数本のブラシ毛を囲んでまとめるように上記シート状部材を設けることにより、植毛作業を容易に行える。また、上記シート状部材１４によって、染毛ブラシ毛２の基端部が補強され、弾力及び強度を高めることができる。しかも、上記シート状部材１４を設けた部位の上方に隙間が形成されるため、所要の染毛剤を保持させることもできる。
【００６２】  なお、第６の実施形態では、シート状部材を用いて複数の染毛ブラシ毛の基端部を一体的に接合したが、上記染毛ブラシ毛の基端部を、接着剤を用いて一体的に接合した補強構造を採用することもできる。複数の上記ブラシ毛２の基端部を一体化することにより、上記第５の実施形態と同様の作用効果を得ることができる。
【００６３】  図１２及び図１３に、本願発明の第７の実施形態を示す。第７の実施形態は、補強用ブラシ毛又は櫛歯１５の周囲を取り囲むように、複数の染毛ブラシ毛２の基端部を、接着又は溶着によって一体的に接合したものである。
【００６４】  この構成を採用することによって、染毛ブラシ毛２の強度及び弾力を高めることができる。また、染毛ブラシ毛２を上記補強用ブラシ毛又は櫛歯１５より長く設定することにより、染毛ブラシ毛２の毛先部２３の内側に上記補強用ブラシ毛又は櫛歯１５の直径に対応した空間を形成することができる。この空間に、染毛剤を多量に保持することが可能となり、染毛作業を効率よく行うことも可能となる。図１２及び図１３に示すように、１本の補強用ブラシ毛又は櫛歯１５の周囲を取り囲むように、１層の染毛ブラシ毛２を設けることもできるし、２以上の層で染毛ブラシ毛２を設けることもできる。
【００６５】  本実施形態における染毛ブラシ毛２を保持部３に植毛する方法は、特に限定されることはない。たとえば、図１４及び図１５に示すように、２つの保持部材２０，２０の間に、ブラシ毛２の集合体の基端部を挟み込むようにして、保持部を構成することができる。また、図１６に示すように、保持部３の保持面にブラシ植設穴２５を設けて、染毛ブラシ毛及び補強用ブラシ毛の基端部を埋め込むようにして、保持部を構成することができる。また、静電植毛法等を利用して、染毛ブラシ毛を保持部に植毛することもできる。
【００６６】  図１６に示す手法で染毛ブラシ毛２を植毛する場合、図１７に示すように、ブラシ毛の両端に、先端２２ａ，２２ｂの直径が０，０３ｍｍ以下の毛先部２２を設けることができる。また、図１８に示すように、ブラシ毛の一端部２２の先端２２ａの直径を０．０３ｍｍ以下に設定し、基端５ａを上記先端２２ａから低い位置に設定して植設することができる。
【００６７】  図２及び図３から明らかなように、本願発明に係る染毛ブラシの染毛効率を高めるには、毛先を直線に沿って揃えるのが好ましい。たとえば、図１７に示すように、ブラシ毛の一方の先端２２ａと他方の先端２２ｂの差Ｈを、０．５ｍｍ以下に設定するのが好ましい。さらに、０．３ｍｍ以下に設定するのがより好ましい。
【００６８】〔実施例１〕  以下、本願発明の実施例及びその効果を具体的に説明する。
【００６９】〔毛髪試料の調整〕  太さ０．０８ｍｍ、長さ９５ｍｍの人の黒色毛髪を２グラム用いて毛束を構成し、これに染毛を施した。染毛前の毛束を基準試料とし、染毛を施した毛束を試験試料とした。
【００７０】〔染毛薬剤の調整〕（１）使用薬剤    薬剤１  酸化染毛剤８Ｒ（株式会社ナプラ製オーガニックカラー８Ｒ）    薬剤２  酸化染毛剤１０Ａ（株式会社ナプラ製オーガニックカラー１０Ａ）（２）染毛薬剤の調整      Ａ剤（上記各酸化染毛剤）１．５ｇとＢ剤１．５ｇ（過酸化水素水６％）を混合して塗布する染毛薬剤を調整した。
【００７１】〔使用ブラシ〕（１）ブラシＡ（市販品）            根本部位から毛先までの太さ  ０．２ｍｍ（同一太さ）            毛足長さ                    ２０  ｍｍ（２）ブラシＢ（市販品）            根本部位の太さ              ０．４ｍｍ            毛先部位の太さ              ０．０８ｍｍ〜０．１２ｍｍ                毛足長さ                    ２０ｍｍ（３）ブラシＣ（本願発明に係るブラシ）            根本部位の太さ              ０．１０ｍｍ            毛先部位の太さ              ０．０１ｍｍ            毛足長さ                    ２０ｍｍ                （基端部から１４ｍｍまでは約０．１ｍｍのほぼ同一の直径、１４〜１８ｍｍの間が０．１〜０．０６ｍｍで直径が変化、先端部２ｍｍが０．０６〜０．０１ｍｍまで直径が変化している）
【００７２】〔染毛方法〕（１）毛髪に沿う方向に上記各ブラシを用いて調整した上記染毛剤を塗布した。（２）塗布後、３０分間室温において自然放置後、洗剤（アニオン界面活性剤）を用いて洗浄して自然乾燥させた。
【００７３】〔染毛効果確認試験〕（１）概要  これまで毛髪の染毛効果に関して定量的なデータが採取されることはなかった。このため発明者は、公的試験機関の支援を受け、分光色差計を用いた下記の計測手法を案出した。（２）測定試料の調整  分光色差計に装着できる所定形状の透明容器に上記の各毛束を充填し、染毛していない基準試料と染毛した試験試料の色差を測定した。（３）色差の測定  分光色差計を用いて、ＣＩＥ（国際照明委員会）が１９７６年に策定した（Ｌ* ，ａ* ，ｂ* ）色空間における、Ｌ* （明度指数）と、ａ* （赤−緑方向クロマチック指数）及びｂ* （黄−青方向クロマチック指数）を計測し、試験試料と基準試料との間の（ΔＬ* ，Δａ* ，Δｂ* ）を求め、色差ΔＥ* abを、上記（ΔＬ* ，Δａ* ，Δｂ* ）を用いて求めた。なお、上記色差ΔＥ* abは、上記各指数を座標軸とするユークリッド空間における距離として求められる。
【００７４】〔試験結果〕（１）図１９及び図２０に、試験測定結果を示す。これらの図に示すように、ブラシ毛の太さによって、上記各指数に大きな差違が生じることが判明した。また、これら各指数から求めた、試験試料と基準試料との色差ΔＥ* abの値も大きくなる。（２）特に、ブラシ毛の先端の直径が毛髪の太さの２分の１以下のブラシＣを用いた場合の色差が大きくなり、従来のブラシに比べて染毛効果が高まることが判明した。
【００７５】〔考察〕（１）上記色差ΔＥ* abは、色の変化である染毛度合いを示す指標となるものであるが、同時に、上記基準試料からの色差が大きくなるほど染毛効果の持続期間も大きくなると推定できる。（２）上記試験結果から、染毛薬剤の使用量を低減させても、充分な染毛効果を得ることができると推定できる。（３）染毛薬剤の使用量を低減させることが可能となるため、薬剤コストを低減させることが可能となり、また、髪に与えるダメージを最小限に抑えることができる。（４）染毛薬剤の使用量が低減されることにより、染毛後の洗浄によって環境に排出される薬剤の量も低減させることができる。（５）ブラシを用いて毛髪に塗布される種々の薬剤に対して、同様の効果が期待できると推定できる。たとえば、脱色のための漂白剤等を塗布して用いる場合にも、従来に比べて少量の塗布量で充分な効果を期待できる。
【００７６】  上述した実施例では、染毛薬剤として酸化染毛剤を採用したが、これに限定されることはなく、他の種類の染毛剤、脱色剤、パーマ用の薬剤等、種々の薬剤に適用できる。
【００７７】  本願発明は、上述の実施形態に限定されることはない。ブラシ毛の形態は、特許請求の範囲に記載した範囲で設定することができる。また、異なる寸法や形態を備えるブラシ毛を混在させて、染毛用ブラシ等の毛髪用ブラシを形成できる。
【産業上の利用可能性】
【００７８】  染毛作業の効率を高めることができるとともに、染毛剤の使用量を大幅に削減できる。
【符号の説明】
【００７９】１    染毛用ブラシ（毛髪用ブラシ）２    染毛ブラシ毛９    補強構造２２  先端（毛先部）２３  毛先部
【図１】
2015076379.tif 000003
【図２】
2015076379.tif 000004
【図３】
2015076379.tif 000005
【図４】
2015076379.tif 000006
【図５】
2015076379.tif 000007
【図６】
2015076379.tif 000008
【図７】
2015076379.tif 000009
【図８】
2015076379.tif 000010
【図９】
2015076379.tif 000011
【図１０】
2015076379.tif 000012
【図１１】
2015076379.tif 000013
【図１２】
2015076379.tif 000014
【図１３】
2015076379.tif 000015
【図１４】
2015076379.tif 000016
【図１５】
2015076379.tif 000017
【図１６】
2015076379.tif 000018
【図１７】
2015076379.tif 000019
【図１８】
2015076379.tif 000020
【図１９】
2015076379.tif 000021
【図２０】
2015076379.tif 000022
【図２１】
2015076379.tif 000023
【国際調査報告】
2015076379.tif 000024
2015076379.tif 000025
2015076379.tif 000026
2015076379.tif 000027